(57)【要約】【課題】  人前で胸をはだけることなく授乳ができると共に、デザイン上の制約が少ない授乳用衣服を提供する。【解決手段】  基本となるワンピースドレス２の前身頃１１の裏側に、前肩の部分３１及び３１ｂとアンダーバスト付近の位置の部分３１ｃ及び３１ｄとで内前身頃３を固定して、授乳用衣服１を形成する。前身頃１１には、Ｖ字状又はＵ字状の襟刳り１３を設ける。授乳時には、襟刳り１３を広げ、内前身頃３の側縁２１ａ又は２１ｂを開くことにより、乳房を露呈する。内前身頃３は、授乳用衣服１の裏側に取り付けられるため、外見上の制約が少なくなり、ワンピースドレスや、ハイネックの襟のセーターが実現可能である。【解決手段】【選択図】        図１
0003110811.tif 000002
【実用新案登録請求の範囲】
【請求項１】
前身頃の裏側に、前肩の部分とアンダーバストの位置の部分とで内前身頃を固定するようにしたことを特徴とする授乳用衣服。
【請求項２】
前記前身頃に襟刳りを設けるようにしたことを特徴とする請求項１に記載の授乳用衣服。
【請求項３】
前記襟刳りは、Ｖ字形又はＵ字形の切り込みを有するようにしたことを特徴とする請求項２に記載の授乳用衣服。
【請求項４】
前記襟刳りは、伸縮自在とされていることを特徴とする請求項２に記載の授乳用衣服。
【請求項５】
前記内前身頃は、両方の乳房を覆う大きさとするようにしたことを特徴とする請求項１に記載の授乳用衣服。
【請求項６】
前記内前身頃の側縁は、内側に凹となる曲線としたことを特徴とする請求項１に記載の授乳用衣服。
【請求項７】
前記内前身頃に首周りを囲む襟を設けるようにしたことを特徴とする請求項１に記載の授乳用衣服。
【請求項８】
前記首周りを囲む襟は、ハイネックとするようにしたことを特徴とする請求項７に記載の授乳用衣服。
【考案の詳細な説明】
【技術分野】
【０００１】
本考案は、人前で胸をはだけることなく、着衣のまま授乳できる授乳用衣服に関する。
【背景技術】
【０００２】
人前で胸をはだけることなく、授乳ができるようにした授乳用衣服として、従来、特許文献１（実開平３−４５９１６）に示されるように、前面内側に設けられた内身頃と、その内身頃の外側に設けられた外身頃とで２重構造になった婦人服であって、内身頃の襟刳りをたぐりよせ、授乳するものが提案されている。また、特許文献２（実用新案登録第３０８６５３１号）に示されているように、前身頃の襟刳りを授乳時に乳房が出せるように大きく形成し、襟刳りの胸より下の部分をカバー布で覆うようにし、授乳者が乳房を容易に露出でき、かつベストにて乳房を隠蔽しながら授乳できる授乳用衣服が提案されている。
【特許文献１】実開平３−４５９１６号公報
【特許文献２】実用新案登録第３０８６５３１号公報
【考案の開示】
【考案が解決しようとする課題】
【０００３】
しかしながら、従来の授乳用衣服では、デザイン上の制約があり、ワンピースのドレスや、タートルネックやとっくり襟と称されるセーターのようなデザインのものを作るのが困難である。例えば、特許文献１や特許文献２に示されるものでは、授乳時には前身頃をたくし上げる必要から、丈の短い前身頃を内前身頃に重ねる必要があり、ベストのようなものを重ね着しているように見えるデザインにならざるを得なかった。
【０００４】
本考案は、上述の課題を鑑み、人前で胸をはだけることなく授乳ができると共に、デザイン上の制約が少ない授乳用衣服を提供することを目的とする。
【課題を解決するための手段】
【０００５】
本考案に係る授乳用衣服は、前身頃の裏側に、前肩の部分とアンダーバストの位置の部分とで内前身頃を固定するようにしたことを特徴とする。
【０００６】
好ましくは、前身頃に襟刳りを設けるようにしたことを特徴とする。また、好ましくは、襟刳りは、Ｖ字形又はＵ字形の切り込みを有するようにしたことを特徴とする。また、好ましくは、襟刳りは、伸縮自在とされていることを特徴とする。
【０００７】
好ましくは、内前身頃は、両方の乳房を覆う大きさとするようにしたことを特徴とする。また、好ましくは、内前身頃の側縁は、内側に凹となる曲線としたことを特徴とする。
【０００８】
好ましくは、内前身頃に首周りを囲む襟を設けるようにしたことを特徴とする。また、好ましくは、首周りを囲む襟は、ハイネックとするようにしたことを特徴とする。
【考案の効果】
【０００９】
本考案によれば、前身頃の裏側に、前肩の部分とアンダーバストの位置の部分とで内前身頃を固定するようにしているので、人前で胸をはだけることなく、授乳を行うことができると共に、デザイン上の制約が少なくなり、ワンピースのドレスやハイネックのセーターのようなデザインの授乳用衣服が実現できる。
【００１０】
本考案によれば、前身頃に襟刳りを設けるようにしている。また、本考案によれば、襟刳りは、Ｖ字形又はＵ字形の切り込みを有するようにしている。また、本考案によれば、襟刳りは、伸縮自在とされている。このため、授乳時に容易に乳房を露呈して、授乳を行うことができる。
【００１１】
本考案によれば、内前身頃は、両方の乳房を覆う大きさとするようにしている。また、本考案によれば、内前身頃の側縁は、内側に凹となる曲線としている。このため、授乳時に、胸をはだけることなく、乳房を露呈して、授乳を行うことができる。
【００１２】
また、本考案によれば、内前身頃に首周りを囲む襟を設けるようにしている。また、本考案によれば、首周りを囲む襟は、ハイネックとするようにしている。このように、本考案では、タートルネックやとっくり襟と称されるハイネックのセーターのようなデザインの授乳用衣服が実現できる。
【考案を実施するための最良の形態】
【００１３】
第１実施形態．
以下、本考案の実施の形態について図面を参照しながら説明する。図１及び図２は、本考案の第１実施形態を示すものである。この実施形態では、授乳用衣服は、ノースリーブのワンピースドレスとされている。図１は、本考案の第１実施形態の授乳用衣服１の全体構成を示し、図２（Ａ）は、本考案の第１実施形態の授乳用衣服の基本となるワンピースドレス２を示し、図２（Ｂ）は基本となるワンピースドレス２の裏側に取り付ける内前身頃３を示している。
【００１４】
図１に示すように、本考案の第１実施形態の授乳用衣服１は、基本となるワンピースドレス２の前身頃１１の裏側に、内前身頃３を取り付けて構成される。
【００１５】
基本となるワンピースドレス２は、図２（Ａ）に示すように、前身頃１１と後身頃１２とからなり、前身頃１１の上方には、Ｖ字形の襟刳り１３が設けられる。なお、ここでは、襟刳り１３はＶ字形の切り込みとしているが、Ｕ字形の切り込みとしても良い。襟刳り１３は、ゴム等の伸縮部材により伸縮自在とされている。襟刳り１３に沿って、襟１４ａ及び１４ｂが設けられる。基本となるワンピースドレス２の側面には、ノースリーブの袖口１５ａ及び１５ｂが設けられる。また、基本となるワンピースドレス２の下縁には、裾飾り１６が設けられる。
【００１６】
内前身頃３は、図２（Ｂ）に示すように、両方の乳房を覆うのに十分な大きさの布地から形成されている。内前身頃３は、側縁２１ａ及び２１ｂと、上縁２１ｃ及び下縁２１ｄを有し、側縁２１ａ及び２１ｂは内側に凹となる曲線とされている。
【００１７】
図１に示すように、基本となるワンピースドレス２の前身頃１１の裏側に、内前身頃３が配置され、両方の前肩の部分３１ａ及び３１ｂと、アンダーバストの付近の位置の部分３１ｃ及び３１ｄとで、内前身頃３が縫い付けられて固定される。内前身頃３の側縁２１ａ及び２１ｂの部分は固定されておらず、自由に広げられるようになっている。
【００１８】
基本となるワンピースドレス２の前身頃１１の裏側に内前身頃３を取り付けると、図１に示すように、襟刳り１３から内前身頃３の上縁２１ｃが露呈される。このため、襟刳り１３がＶ字状に深くカットされていても、胸元が露呈されることはない。
【００１９】
図３は、本考案の第１実施形態の授乳用衣服１を着用して、授乳を行うときの様子を示すものである。本考案の第１実施形態の授乳用衣服１を着用して、授乳を行うときには、図３に示すように、襟刳り１３を広げ、襟刳り１３と内前身頃３の側縁２１ａ又は２１ｂの間から、乳房を露呈させる。これにより、授乳することができる。本考案の実施形態では、前身頃１１の裏側に内前身頃３が設けられているので、襟刳り１３を広げただけでは、乳房は露呈されることはない。このため、胸をはだけることなく、授乳することができる。
【００２０】
また、内前身頃３は、両方の乳房を覆うのに十分な大きさであり、内前身頃３の両側縁２１ａ及び２１ｂは内側に凹となる曲線とされている。このため、授乳時に、容易に乳房を露呈させて、授乳することができる。
【００２１】
更に、襟刳り１３は伸縮自在となっている。このため、授乳時に簡単に襟刳り１３を広げることができると共に、授乳を繰り返しても、型くずれを起こすことがない。
【００２２】
以上説明したように、本考案が適用された授乳用衣服１では、内前身頃３は、授乳用衣服１の裏側に取り付けられるため、外見上は、通常のワンピースドレスと殆ど変わらないデザインとなる。このため、パーティ会場等にも着ていけるようなフォーマルなデザインのものが実現可能である。
【００２３】
第２実施形態．
図４は、本考案の第２実施形態の授乳用衣服５１を示すものである。本考案の第２実施形態の授乳用衣服５１は、基本となるセーター５２の前身頃６１の裏側に内前身頃５３を取り付け、この内前身頃５３に、首周りを囲むような襟、例えば、ハイネックの襟６７を取り付けて構成される。なお、ハイネックの襟６７としては、タートルネックやとっくり襟と称されるデザインのものを含むものとする。
【００２４】
基本となるセーター５２は羊毛やアクリルの毛糸で編み上げられており、前身頃６１の上方には、Ｕ字形の襟刳り６３が設けられる。なお、ここでは、襟刳り６３をＵ字形の切り込みとしているが、Ｖ字形の切り込みとしても良い。基本となるセーター５２の側面には、長袖のスリーブ６５ａ及び６５ｂが設けられる。内前身頃５３は、両方の乳房を覆うのに十分な大きさに編み上げられている。内前身頃５３の側縁７１ａ及び７１ｂは内側に凹となる曲線とされている。内前身頃５３の上縁７１ｃには、ハイネックの襟６７が取り付けられる。なお、内前身頃５３と、ハイネックの襟６７とを一体的に編み上げるようにしても良い。
【００２５】
基本となるセーター５２の前身頃６１の裏側に、内前身頃５３が配置され、両方の前肩の部分８１ａ及び８１ｂと、アンダーバストの付近の位置の部分８１ｃ及び８１ｄとで、内前身頃５３が固定される。内前身頃５３の側縁７１ａ及び７１ｂの部分は固定されておらず、自由に広げられるようになっている。
【００２６】
本考案の第２実施形態の授乳用衣服５１を着用して、授乳を行うときには、上述の第１実施形態と同様に、襟刳り６３を広げ、襟刳り６３と内前身頃５３の側縁７１ａ又は７１ｂの間から、乳房を露呈させる。これにより、授乳することができる。
【００２７】
このように、この実施形態では、内前身頃５３の上縁７１ｃに、ハイネックの襟６７を取り付けることで、タートルネックやとっくり襟と称される首周りを囲むような襟のデザインの授乳用衣服が実現できる。
【００２８】
本考案は、上述した実施形態に限定されるものではなく、本考案の要旨を逸脱しない範囲内で様々な変形や応用が可能である。
【産業上の利用可能性】
【００２９】
本考案は、人前で胸をはだけることなく、着衣のまま授乳できる授乳用衣服に利用することができる。
【図面の簡単な説明】
【００３０】
【図１】本考案の第１実施形態の斜視図である。
【図２】本考案の第１実施形態における基本となるワンピースドレスと内前身頃の構成を示す斜視図である。
【図３】本考案の第１実施形態における授乳時の説明に用いる斜視図である。
【図４】本考案の第２実施形態の斜視図である。
【符号の説明】
【００３１】
１  授乳用衣服
２  基本となるワンピースドレス
３  内前身頃
１１  前身頃
１２  後身頃
１３  襟刳り
１４ａ、１４ｂ  襟
１５ａ、１５ｂ  袖口
１６  裾飾り
５１  授乳用衣服
５２  基本となるセーター
５３  内前身頃５３
６１  前身頃
６３ 襟刳り
６５ａ、６５ｂ  スリーブ
６７  ハイネックの襟
【図１】
0003110811.tif 000003
【図２】
0003110811.tif 000004
【図３】
0003110811.tif 000005
【図４】
0003110811.tif 000006